(57)【要約】    【課題】  所望の被写体像を示す電子化ファイルを効率的でかつ操作性よく検索できる画像検索装置及び画像検索方法を提供する。    【解決手段】  検索対象とする複数の画像ファイルの記録メディア１８に記録された時系列順位を、各々対応する画像ファイルと関連付けされた複数の領域により構成されたグラフとしてＬＣＤ３８に表示し、グラフに対する指定位置をトラックボール装置６０により入力させ、指定位置によって示される領域と関連付けされた画像ファイルにより示される被写体像を記録メディア１８に表示する。    【選択図】  図３
2005064930.tif 000002
【特許請求の範囲】
【請求項１】
撮影によって得られた被写体像を示す画像情報が電子化ファイルとして複数記憶された記憶手段から所望の電子化ファイルを検索するための画像検索装置であって、
複数の前記電子化ファイルの前記記憶手段に記憶された時系列順位を、各々対応する電子化ファイルと関連付けされた複数の領域により構成されたグラフとして表示するための表示手段と、
前記表示手段によって表示されたグラフに対する指定位置を入力するための入力手段と、
前記グラフの前記入力手段により入力された指定位置によって示される前記領域と関連付けされた前記電子化ファイルにより示される被写体像を前記表示手段に表示する制御手段と、
を備えた画像検索装置。
【請求項２】
前記制御手段は、前記指定位置によって示される前記領域を含む連続した所定数の前記領域と関連付けされた前記電子化ファイルにより示される前記所定数の被写体像を前記表示手段に更に表示し、
前記入力手段は、前記表示手段に表示された複数の被写体像から何れかを選択する選択指示を更に入力する
請求項１に記載の画像検索装置。
【請求項３】
前記制御手段は、前記入力手段による指定位置を指し示すマークを前記表示手段に更に表示する
請求項１又は請求項２に記載の画像検索装置。
【請求項４】
前記入力手段を、任意の方向への回転操作が可能に設けられると共に、当該回転操作によって前記表示手段における指定位置を入力するための回転体を含めて構成した
請求項１乃至請求項３の何れかに記載の画像検索装置。
【請求項５】
前記回転体が、任意の方向への回転操作に加えて所定方向への押圧操作が可能に設けられ、
前記入力手段に、当該回転体に対する押圧操作を検出する押圧検出手段を更に設けた
請求項４記載の画像検索装置。
【請求項６】
前記電子化ファイルを動画像を示すものとし、
前記表示手段は、前記複数の領域の大きさを、各々関連付けされた前記電子化ファイルにより示される動画像の再生時間の長さに応じたものとして前記グラフを表示する
請求項１乃至請求項５の何れかに記載の画像検索装置。
【請求項７】
前記表示手段は、関連付けされた前記電子化ファイル毎に前記複数の領域の色及び模様の少なくとも１つを異ならせて前記グラフを表示する
請求項１乃至請求項６の何れかに記載の画像検索装置。
【請求項８】
前記表示手段は、関連付けされた前記電子化ファイルが記憶された日付け毎に前記複数の領域の色及び模様の少なくとも１つを異ならせて前記グラフを表示する
請求項１乃至請求項６の何れかに記載の画像検索装置。
【請求項９】
前記グラフを、一端部側の領域が前記記憶手段に記憶された時系列順位の最も古い電子化ファイルと関連付けされ、前記一端部に対向する他端部側の領域が前記記憶手段に記憶された時系列順位の最も新しい電子化ファイルと関連付けされた棒グラフとした
請求項１乃至請求項８の何れかに記載の画像検索装置。
【請求項１０】
撮影によって得られた被写体像を示す画像情報が電子化ファイルとして複数記憶された記憶手段から所望の電子化ファイルを検索するための画像検索方法であって、
複数の前記電子化ファイルの前記記憶手段に記憶された時系列順位を、各々対応する電子化ファイルと関連付けされた複数の領域により構成されたグラフとして表示手段に表示し、
前記グラフに対する指定位置を入力させ、
前記指定位置によって示される前記領域と関連付けされた前記電子化ファイルにより示される被写体像を前記表示手段に表示する
画像検索方法。
【発明の詳細な説明】
【技術分野】
【０００１】
本発明は、撮影によって得られた被写体像を示す画像情報が電子化ファイルとして複数記憶された記憶手段から所望の電子化ファイルを検索するのに好適な画像検索装置及び画像検索方法に関する。
【背景技術】
【０００２】
デジタルカメラ、カメラ付きＰＤＡ（Personal Digital Assistant）や携帯電話器等の撮影機能を備えた電子機器においては、メモリに記憶された被写体像を示す複数の電子化ファイル（画像ファイル）から所望の被写体像を示す電子化ファイルを検索したい場合がある。
【０００３】
そして、当該複数の検索を支援するための技術として、従来、例えば特許文献１には、複数のサムネイル画像から構成されるインデックス画像を表示すると共に、当該インデックス画像上に注目する画像を表示するための注視領域を表示し、サムネイル画像の注視領域内に位置する画像を注視領域内に拡大表示する、という技術が記載されている。
【特許文献１】特開２０００−１７２２４７公報
【発明の開示】
【発明が解決しようとする課題】
【０００４】
しかしながら、上記特許文献１の技術では、メモリに記憶された多数の電子化ファイルから所望の画像を選択する場合、全てのサムネイル画像を表示装置の画面に表示できないことが多いため、一部のサムネイル画像のみを画面上に表示し、画面上に表示されたインデックス画像をスクロールする等して全てのサムネイル画像を表示可能にする必要がある。
【０００５】
このようにした場合、インデックス画面の一部のみが画面に表示される場合、所望のサムネイル画像が画面に表示されるまで、表示されたサムネイル画像を確認しながらスクロールのための操作を続けなければならないため、検索効率が悪い、という問題点があった。
【０００６】
また、所望のサムネイル画像がインデックス画像のどの位置にあるかを把握している場合であってもスクロールのための操作を行なう必要があり、操作性が悪い、という問題点があった。
【０００７】
本発明は上記問題点を解決するためになされたものであり、所望の被写体像を示す電子化ファイルを効率的でかつ操作性よく検索できる画像検索装置及び画像検索方法を提供することを目的とする。
【課題を解決するための手段】
【０００８】
上記目的を達成するために、請求項１記載の画像検索装置は、撮影によって得られた被写体像を示す画像情報が電子化ファイルとして複数記憶された記憶手段から所望の電子化ファイルを検索するための画像検索装置であって、複数の前記電子化ファイルの前記記憶手段に記憶された時系列順位を、各々対応する電子化ファイルと関連付けされた複数の領域により構成されたグラフとして表示するための表示手段と、前記表示手段によって表示されたグラフに対する指定位置を入力するための入力手段と、前記グラフの前記入力手段により入力された指定位置によって示される前記領域と関連付けされた前記電子化ファイルにより示される被写体像を前記表示手段に表示する制御手段と、を備えている。
【０００９】
請求項１に記載の画像検索装置によれば、各々撮影によって得られた被写体像を示す画像情報である複数の電子化ファイルの記憶手段に記憶された時系列順位が、各々対応する電子化ファイルと関連付けされた複数の領域により構成されたグラフとして表示手段により表示される。
【００１０】
なお、上記表示手段には、ＬＣＤ（Liquid Crystal Display）、ＣＲＴディスプレイ、有機ＥＬディスプレイ、プラズマディスプレイ等のディスプレイが含まれる。
【００１１】
また、上記記憶手段には、スマートメディア、ＳＤカード、メモリスティック、コンパクトフラッシュ（Ｒ）、マイクロドライブ等が含まれる。
【００１２】
ここで、本発明では、表示手段によって表示されたグラフに対する指定位置が入力手段により入力され、前記グラフの前記入力手段により入力された指定位置によって示される領域と関連付けされた前記電子化ファイルにより示される被写体像が制御手段により前記表示手段に表示される。
【００１３】
すなわち、本発明では、記憶手段に記憶されている複数の電子化ファイルの時系列順位を、各々対応する電子化ファイルと関連付けされた複数の領域により構成されたグラフとして表示手段により表示しているので、電子化ファイルが多数であっても全ての電子化ファイルが一画面内に表示できる。そして、本発明では、当該グラフの何れかの領域が指定されると、当該領域と関連付けされた電子化ファイルにより示される被写体像を表示するようにしているので、ユーザは、所望の電子化ファイルの記憶手段に記憶された時系列順位をある程度予測して指定位置を入力することにより、これに応じて表示手段に表示された被写体像を確認しながら所望の電子化ファイルを検索できる。このため、インデックス画像を表示してスクロールしつつ検索する従来の技術と比較して、操作性が極めてよく、所望の被写体像を示す電子化ファイルの検索を効率よく行なえる。なお、記憶手段に記憶されている電子化ファイルの数が多いほど、本発明の効果が顕著となる。
【００１４】
このように、請求項１に記載の画像検索装置によれば、検索対象とする複数の前記電子化ファイルの前記記憶手段に記憶された時系列順位を、各々対応する電子化ファイルと関連付けされた複数の領域により構成されたグラフとして表示手段に表示し、前記グラフに対する指定位置を入力させ、前記指定位置によって示される前記領域と関連付けされた前記電子化ファイルにより示される被写体像を前記表示手段に表示しているので、所望の被写体像を示す電子化ファイルを効率的でかつ操作性よく検索できる。
【００１５】
なお、本発明は、請求項２に記載の発明のように、前記制御手段は、前記指定位置によって示される前記領域を含む連続した所定数の前記領域と関連付けされた前記電子化ファイルにより示される前記所定数の被写体像を前記表示手段に更に表示し、前記入力手段は、前記表示手段に表示された複数の被写体像から何れかを選択する選択指示を更に入力することもできる。
【００１６】
請求項２に記載の発明によれば、表示手段に表示されたグラフに対して指定位置を入力する際に、所望の被写体像を示す電子化ファイルと関連付けされた領域を正確に指定できなくても、表示手段に表示された所定数の被写体像の中に所望の被写体像が存在すれば、当該被写体像を選択することにより検索することができ、検索効率がさらに向上する。
【００１７】
また、本発明は、請求項３に記載の発明のように、前記制御手段は、前記入力手段による指定位置を指し示すマークを前記表示手段に更に表示するようにしてもよい。これにより、指定した領域を容易に判別できる。
【００１８】
さらに、本発明は、請求項４に記載の発明のように、前記入力手段を、任意の方向への回転操作が可能に設けられると共に、当該回転操作によって前記表示手段における指定位置を入力するための回転体を含めて構成してもよい。
【００１９】
請求項４に記載の発明によれば、回転体に対する任意の方向への回転操作によって、表示手段に表示されたグラフに対する所望の位置を指定位置として迅速に入力することができるため、従来の十字ボタンの上下左右方向の操作等により指定位置を入力する場合と比較して、飛躍的に操作性が向上する。
【００２０】
また、請求項４に記載の発明は、請求項５に記載の発明のように、前記回転体が、任意の方向への回転操作に加えて所定方向への押圧操作が可能に設けられ、前記入力手段に、当該回転体に対する押圧操作を検出する押圧検出手段を更に設けることが好ましい。
【００２１】
請求項５に記載の発明によれば、回転体に対する任意の方向への回転操作に加え、所定方向への押圧操作を可能としているため、回転体に対する任意の方向への回転操作によって表示領域における指定位置を変更し、回転体に対する所定方向への押圧操作により指定位置を決定する、というように、回転体に対する操作だけで指定位置の入力を行うことができ、所望の被写体像を検索する際の操作性をさらに向上させることができる。
【００２２】
また、本発明は、請求項６に記載の発明のように、前記電子化ファイルを動画像を示すものとし、前記表示手段は、前記複数の領域の大きさを、各々関連付けされた前記電子化ファイルにより示される動画像の再生時間の長さに応じたものとして前記グラフを表示するようにしてもよい。これにより、グラフを参照することによって各電子化ファイルの時系列順位と再生時間の長さとが把握できるため、所望の被写体像の検索がさらに効率的に行なえる。
【００２３】
なお、本発明は、請求項７に記載の発明のように、前記表示手段は、関連付けされた前記電子化ファイル毎に前記複数の領域の色及び模様の少なくとも１つを異ならせて前記グラフを表示するようにしてもよい。これにより、各電子化ファイルを示す領域の位置や大きさ等を容易に把握することができる。
【００２４】
また、本発明は、請求項８に記載の発明のように、前記表示手段は、関連付けされた前記電子化ファイルが記憶された日付け毎に前記複数の領域の色及び模様の少なくとも１つを異ならせて前記グラフを表示するようにしてもよい。これにより、所望の電子化ファイルの記憶された日付けが予め分かっている場合には当該電子化ファイルの検索を短時間で行うことができる。
【００２５】
さらに本発明は、請求項９に記載の発明のように、前記グラフを、一端部側の領域が前記記憶手段に記憶された時系列順位の最も古い電子化ファイルと関連付けされ、前記一端部に対向する他端部側の領域が前記記憶手段に記憶された時系列順位の最も新しい電子化ファイルと関連付けされた棒グラフとすることもできる。これにより、時系列順位が把握しやすくなり、検索効率がよくなると共に指定位置の入力も容易になり操作性も向上する。
【００２６】
一方、上記目的を達成するために、請求項１０に記載の画像検索方法は、撮影によって得られた被写体像を示す画像情報が電子化ファイルとして複数記憶された記憶手段から所望の電子化ファイルを検索するための画像検索方法であって、複数の前記電子化ファイルの前記記憶手段に記憶された時系列順位を、各々対応する電子化ファイルと関連付けされた複数の領域により構成されたグラフとして表示手段に表示し、前記グラフに対する指定位置を入力させ、前記指定位置によって示される前記領域と関連付けされた前記電子化ファイルにより示される被写体像を前記表示手段に表示するものである。
【００２７】
請求項１０に記載の画像抽出方法によれば、上記請求項１に記載の発明と同様に作用するので、請求項１に係る発明と同様に、所望の被写体像を示す電子化ファイルを効率的でかつ操作性よく検索できる。
【発明の効果】
【００２８】
以上説明したように、本発明に係る画像検索装置及び画像検索方法によれば、撮影によって得られた被写体像を示す画像情報が電子化ファイルとして複数記憶された記憶手段から所望の電子化ファイルを検索する際に、複数の前記電子化ファイルの前記記憶手段に記憶された時系列順位を、各々対応する電子化ファイルと関連付けされた複数の領域により構成されたグラフとして表示手段に表示し、前記グラフに対する指定位置を入力させ、前記指定位置によって示される前記領域と関連付けされた前記電子化ファイルにより示される被写体像を前記表示手段に表示しているので、所望の被写体像を示す電子化ファイルを効率的でかつ操作性よく検索できる、という優れた効果を有する。
【発明を実施するための最良の形態】
【００２９】
以下、図面を参照して、本発明を実施するための最良の形態について詳細に説明する。まず、図１を参照して、本発明を適用したデジタルカメラ１０の外観上の構成を説明する。
【００３０】
図１（Ａ）に示すように、このデジタルカメラ１０の正面には、撮影する被写体の構図を決定するために用いられるファインダ２０と、被写体像を結像させるためのレンズ２１と、撮影を実行する際に押圧操作されるレリーズボタン（所謂シャッター）５６Ａと、が備えられている。
【００３１】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が、内蔵された２つのスイッチにより検出可能に構成されている。
【００３２】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３３】
一方、図１（Ｂ）に示すように、デジタルカメラ１０の背面には、前述のファインダ２０の接眼部と、撮影された被写体像やメニュー画面等の各種情報を表示するための液晶ディスプレイ（以下、「ＬＣＤ」という。）３８と、が備えられている。
【００３４】
また、デジタルカメラ１０の背面には、撮影を行うモードである撮影モード及び被写体像をＬＣＤ３８に再生するモードである再生モードの何れかのモードに設定する際にスライド操作されるモード切替スイッチ５６Ｂと、ＬＣＤ３８にメニュー画面を表示する際に押圧操作されるメニューキー５６Ｃと、ＬＣＤ３８における表示内容を決定する際に押圧操作される決定キー５６Ｄと、十字カーソルキー５６Ｅと、ＬＣＤ３８における表示内容を放棄する際に押圧操作されるキャンセルキー５６Ｆと、が更に備えられている。
【００３５】
なお、十字カーソルキー５６Ｅは、ＬＣＤ３８の表示領域における上・下・左・右の４方向の移動方向を示す４つの矢印キーを含んで構成されている。
【００３６】
一方、デジタルカメラ１０には、トラックボール装置６０が装備されている。そして、デジタルカメラ１０の背面壁１０Ｂには、トラックボール装置６０に設けられた後述するトラックボール６２の一部を外部に露出させるための開口１０Ｃが形成されている。従って、ユーザは、開口１０Ｃを介して外部に露出されたトラックボール６２の一部を指先にてデジタルカメラ１０の正面方向に押圧したり、トラックボール６２を回転させたりすることができる。
【００３７】
図２（Ａ）に示すように、本実施の形態に係るトラックボール装置６０は、トラックボール６２と、エンコーダ機構６４と、マイクロスイッチ６６と、板バネ６８と、を備えている。
【００３８】
トラックボール６２は、或る程度重量感を持たせた球状の回転体であり、背面壁１０Ｂに形成された開口１０Ｃを介して球面の一部が露出した状態で全方向に回転操作可能かつ押圧操作可能に設けられている。なお、トラックボール６２の表面の材質としてはゴムが用いられており、エンコーダ機構６４の後述するローラ６４Ａとの摩擦係数を増加させている。
【００３９】
エンコーダ機構６４は、トラックボール６２の表面に当接する円柱状のローラ６４Ａと、トラックボール６２の直交する２方向（Ｘ方向、Ｙ方向）の移動量に応じたパルス信号を出力する回転量検出部６４Ｂと、を有する２組のエンコーダ６５Ａ、６５Ｂを備えている。
【００４０】
ローラ６４Ａは、軸部分の材質が、例えばプラスチックからなり、トラックボール６２との摩擦で容易に回転可能とされている。なお、ローラ６４Ａの軸の長さは、トラックボール６２の径に合うように調整されている。また、回転量検出部６４Ｂは、ローラ６４Ａの回転量に応じたパルス信号を出力するものとして構成されている。従って、回転量検出部６４Ｂから出力されたパルス信号に基づいてトラックボール６２の回転量（移動量）を検出することができる。
【００４１】
一方、トラックボール装置６０には、トラックボール６２の表面積の半分を越えた部分を囲むことによってトラックボール６２を保持すると共に、トラックボール６２が外部から押圧されたときにトラックボール６２と共に当該押圧の方向と同一の方向に移動される保持部材７０が備えられている。
【００４２】
保持部材７０は、トラックボール６２を保持する面が当該トラックボール６２の被保持面と略同一サイズで略同形状（一部球状）のものとされている。そして、保持部材７０のトラックボール６２保持側の面（内面）には、トラックボール６２と保持部材７０との間の摩擦力を低下させるための化学繊維で構成された摩擦低下部材７０Ａが貼り付けられている。
【００４３】
また、保持部材７０の図２における上端位置及び下端位置には、それぞれ保持部材７０の移動方向をデジタルカメラ１０の正面方向（図２（Ａ）矢印Ａ方向）に規制する規制壁７２Ａ、７２Ｂが設けられている。
【００４４】
従って、本実施の形態に係るトラックボール装置６０では、トラックボール６２が押圧されると、トラックボール６２及び保持部材７０は移動方向が規制壁７２Ａ、７２Ｂに規制されて図２（Ａ）矢印Ａ方向に一体的に移動され、図２（Ｂ）に示す状態となるが、このとき、エンコーダ６５Ａ及びエンコーダ６５Ｂは、トラックボール６２の表面から離間するように、一端部が背面壁１０Ｂに固定された支持部材６４Ｃによって固定的に位置決めされている。
【００４５】
一方、マイクロスイッチ６６は、トラックボール６２が押圧操作されたか否かを検出するためのものである。マイクロスイッチ６６は、トラックボール６２が押圧操作され、保持部材７０を介して作動片６６Ａが押圧されたときにオンし、トラックボール６２が押圧操作された旨を示す信号（以下、「押圧信号」という。）を出力し、トラックボール６２が通常位置（図２（Ａ）の位置）にあるときにはオフするようにプリント配線板８０上に実装されている。
【００４６】
また、板バネ６８は、トラックボール６２への押圧操作が解除されたときに当該押圧操作に応じて移動した保持部材７０を元の位置に復帰させる方向に付勢力を与えるためのものであり、一端部がプリント配線板８０に取付けられ、他端部が保持部材７０の外壁に当接するように配設されている。
【００４７】
次に、図３を参照して、本実施の形態に係るデジタルカメラ１０の電気的な構成について説明する。
【００４８】
同図に示されるように、デジタルカメラ１０は、前述のレンズ２１を含んで構成された光学ユニット２２と、レンズ２１の光軸後方に配設された電荷結合素子（以下、「ＣＣＤ」という。）２４と、を含んで構成されている。
【００４９】
また、デジタルカメラ１０は、被写体像やメニュー画面等をＬＣＤ３８に表示させるための信号を生成してＬＣＤ３８に供給する表示制御部１４と、デジタルカメラ１０全体の動作を司るＣＰＵ（中央処理装置）１１を含んで構成された制御部１２と、可搬型の記録メディア１８をデジタルカメラ１０でアクセス可能とするためのメモリ制御部１６と、デジタルカメラ１０において実行される各種プログラムやテーブル等が記憶されたＲＯＭ及び撮影により得られたデジタル画像情報等を記憶するＲＡＭを備えた記憶部２６と、を含んで構成されている。なお、本実施の形態のデジタルカメラ１０では、記録メディア１８としてスマートメディア（Smart Media(R)）が用いられている。
【００５０】
上記表示制御部１４、ＣＣＤ２４、メモリ制御部１６及び記憶部２６は、それぞれ制御部１２に接続されている。したがって、制御部１２のＣＰＵ１１は、ＬＣＤ３８に対する表示制御部１４を介した各種情報の表示、ＣＣＤ２４による被写体像を示す画像情報の取得、記録メディア１８へのメモリ制御部１６を介したアクセス、及び記憶部２６のＲＯＭやＲＡＭへのアクセスを各々行うことができる。
【００５１】
なお、制御部１２には、上記ＣＰＵ１１の他、ＣＣＤ２４から入力された被写体像を示すアナログ信号に対して各種のアナログ信号処理を行った後、デジタルデータに変換し、さらに、当該デジタルデータに対して各種のデジタル信号処理を行う信号処理部（図示省略）が含まれる。
【００５２】
また、デジタルカメラ１０は、エンコーダ６５Ａの回転量検出部６４Ｂにおけるパルス信号を出力する出力端に接続されたＸ方向移動量検出部２８と、エンコーダ６５Ｂの回転量検出部６４Ｂにおけるパルス信号を出力する出力端に接続されたＹ方向移動量検出部３０と、トラックボール装置６０のマイクロスイッチ６６に接続されたトラックボール押圧検出部３２と、を含んで構成されている。
【００５３】
Ｘ方向移動量検出部２８では、接続された回転量検出部６４Ｂから入力されたパルス信号に基づいてトラックボール６２のＸ方向に対する所定時間当たりの回転量を検出し、当該回転量を示す検出信号を出力する。同様に、Ｙ方向移動量検出部３０では、接続された回転量検出部６４Ｂから入力されたパルス信号に基づいてトラックボール６２のＹ方向に対する所定時間当たりの回転量を検出し、当該回転量を示す検出信号を出力する。更に、トラックボール押圧検出部３２では、マイクロスイッチ６６のオン／オフの状態に応じた検出信号を出力する。
【００５４】
Ｘ方向移動量検出部２８、Ｙ方向移動量検出部３０及びトラックボール押圧検出部３２は、それぞれ制御部１２に接続されており、制御部１２のＣＰＵ１１はトラックボール装置６０のトラックボール６２に対する回転操作及び押圧操作の各操作状態を常時把握できる。そして、ＣＰＵ１１では、トラックボール６２に対する回転操作に応じてＬＣＤ３８
び表示領域に対するカーソルマーク５０（図１（Ｂ）も参照）の指定位置を変更させると共に、トラックボール６２に対する押圧操作が行なわれた時点のＬＣＤ３８上のカーソルマーク５０により示される位置が最終的な指定位置であるものとして確定されたものと判断する。
【００５５】
さらに、デジタルカメラ１０は、キャンセルキー５６Ｆが押圧操作されることによりオン状態とされるスイッチＳＷ２と、決定キー５６Ｄが押圧操作されることによりオン状態とされるスイッチＳＷ３と、メニューキー５６Ｃが押圧操作されることによりオン状態とされるスイッチＳＷ４と、スイッチＳＷ２に接続されたキャンセルキー押圧検出部３４と、スイッチＳＷ３に接続された決定キー押圧検出部３８と、スイッチＳＷ４に接続されたメニューキー押圧検出部４０と、を含んで構成されている。
【００５６】
これらキャンセルキー押圧検出部３４、決定キー押圧検出部３８及びメニューキー押圧検出部４０は、接続されたスイッチのオン／オフに応じた検出信号をそれぞれ出力する。
【００５７】
また、デジタルカメラ１０は、十字カーソルキー５６Ｅを構成する４つの矢印キーに対する操作状態に応じた検出信号を出力する十字カーソルキー操作状態検出部３６と、モード切替スイッチ５６Ｂに対する操作状態に応じた検出信号を出力するモード切替スイッチ操作状態検出部４２と、上記レリーズボタン５６Ａが半押し状態とされた場合にオンするスイッチＳＷ５と、当該レリーズボタン５６Ａが全押し状態とされた場合にオンするスイッチＳＷ６と、スイッチＳＷ５及びスイッチＳＷ６に接続され、これらのスイッチのオン／オフの状態に応じた検出信号を出力するレリーズ検出部４４と、を含んで構成されている。
【００５８】
キャンセルキー押圧検出部３４、十字カーソルキー操作状態検出部３６、決定キー押圧検出部３８、メニューキー押圧検出部４０、モード切替スイッチ操作状態検出部４２及びレリーズ検出部４４はそれぞれ制御部１２に接続されており、制御部１２のＣＰＵ１１は、これら各検出部に接続されたスイッチのオン／オフ状態を常時把握できる。
【００５９】
次に、本実施の形態に係るデジタルカメラ１０の撮影時における全体的な動作について簡単に説明する。
【００６０】
まず、ＣＣＤ２４は、光学ユニット２２を介した撮像を行い、被写体像を示すＲ（赤）、Ｇ（緑）、Ｂ（青）毎のアナログ信号を制御部１２に順次出力する。
【００６１】
制御部１２では、内蔵された不図示の信号処理部により、ＣＣＤ２４から入力されたアナログ信号に対して相関二重サンプリング処理等のアナログ信号処理を施した後にデジタル画像データに変換（Ａ／Ｄ変換）し、更に、当該デジタル画像データに対してホワイトバランス調整、ガンマ処理、シャープネス処理、ＹＣ信号処理等のデジタル信号処理を施して輝度信号Ｙとクロマ信号Ｃｒ、Ｃｂ（以下、「ＹＣ信号」という。）を生成した後に、該ＹＣ信号を記憶部２６のＲＡＭに順次出力する。
【００６２】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合にＣＰＵ１１は、生成したＹＣ信号を、表示制御部１４を介して順次ＬＣＤ３８に出力する。これによってＬＣＤ３８にスルー画像が表示されることになる。
【００６３】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、ＣＰＵ１１は、この時点で記憶部２６のＲＡＭに格納されているＹＣ信号を所定の圧縮形式（本実施の形態では、ＪＰＥＧ形式）で圧縮した後にメモリ制御部１６を介して記録メディア１８に電子化ファイル（画像ファイル）として記録する。
【００６４】
ところで、本実施の形態に係るデジタルカメラ１０では、再生モード時において、静止画像再生処理及び動画像再生処理を実行することができる。ユーザは、再生モード時において、メニューキー５６Ｃを押圧操作することによりＬＣＤ３８に表示されるメニュー画面上でこれらの処理のうちの所望の処理を選択する。
【００６５】
以下、これらの処理について、それぞれ図面を参照して詳細に説明する。
（静止画像再生処理）
図４は、静止画像再生処理の実行時にＣＰＵ１１により実行される静止画像再生処理プログラムの処理の流れを示すフローチャートであり、当該静止画像再生処理プログラムは、記憶部２６のＲＯＭに予め記憶されている。以下、同図を参照して本実施の形態に係る静止画像再生処理について説明する。
【００６６】
まず、ステップ１００では、静止画像選択画面を表示する。
【００６７】
図５（Ａ）には、本実施の形態に係る静止画像選択画面のＬＣＤ３８に表示された状態が示されている。同図に示すように、静止画像選択画面には、画像ファイルの記録メディア１８に記録された時系列順位が、棒グラフとして表示される。この棒グラフは各画像ファイルと関連付けされた複数の領域（ここでは矩形領域）により構成されており、棒グラフ全体としては記録メディア１８に記録された各画像ファイルにより示される静止画像の総枚数を表わしている。また、棒グラフの同図右端部側の領域が時系列順位の最も古い画像ファイルと関連付けされると共に、他端部側の領域に向かうに従い関連付けされた画像ファイルの時系列順位が新しくなり、各領域内の模様を画像ファイルが記憶された日付け毎に異ならせている。さらに、棒グラフには画像ファイルの検索時の目安となるように、枚数を示す目盛りが表示されると共に、当該棒グラフに重ねてカーソルマーク５０及びカーソルマーク５０の位置に応じた棒グラフ上の指定位置を示す位置マーク５１（ここでは、点線によるマーク）が表示される。
【００６８】
このような静止画像選択画面がＬＣＤ３８に表示されると、ユーザは、棒グラフの所望の静止画像を示す画像ファイルと関連付けされた領域をある程度予測して、トラックボール６２の回転操作によってカーソルマーク５０を予測した領域を示す位置まで移動させ、位置マーク５１により指定位置を確認した後、トラックボール６２をデジタルカメラ１０の正面方向に押し込むことにより、サムネイル画像を表示させる指定位置を確定する。
【００６９】
そこで、ステップ１０２では、トラックボール６２の押圧操作待ちを行ない、次のステップ１０４では、確定された指定位置によって示される領域を含む連続した所定数（本実施の形態では「６」。）の領域に関連付けされた画像ファイルにより示される画像のサムネイル画像を表示する。
【００７０】
図５（Ｂ）には、上述した棒グラフと共に、サムネイル画像がＬＣＤ３８に表示された状態の一例が示されている。同図に示す例では、棒グラフ上の位置や何れかのサムネイル画像を指定可能にカーソルマーク５０を表示すると共に、棒グラフに重ねて指定位置を示す位置マーク５１を表示しており、サムネイル画像を表示した後も棒グラフ上の指定位置が把握できるようにしている。
【００７１】
一方、ユーザは、表示された複数のサムネイル画像を確認し、引き続きトラックボール６２を操作して、何れかのサムネイル画像を選択するか、或いは棒グラフに対して指定位置を再度入力する。
【００７２】
そこで、ステップ１０５では、トラックボール６２の押圧操作待ちを行ない、次のステップ１０６では、トラックボール６２の操作が再生画像の選択を示すものであったか否かを判定する。すなわち、ユーザの操作の結果が、棒グラフに対する指定位置を入力するものであった場合は当該判定が否定判定となり、再びステップ１０４に戻る。
【００７３】
一方、ユーザの操作の結果が、何れかのサムネイル画像の選択を示すものであった場合はステップ１０８に移行して、選択されたサムネイル画像の画像ファイルにより示される被写体像を再生表示し、再びステップ１０２に戻る。
【００７４】
なお、図５（Ｃ）には、選択された被写体像がＬＣＤ３８に再生表示された状態が示されている。同図に示す例では、再生画像と共に上述した棒グラフ及び位置マーク５１も表示しているので、現在の指定位置を考慮した上で棒グラフに対して指定位置を入力することができ、次の再生画像をより効率よく選択することができる。
（動画像再生処理）
図６は、動画像再生処理の実行時にＣＰＵ１１により実行される動画像再生処理プログラムの処理の流れを示すフローチャートであり、当該動画像再生処理プログラムも、記憶部２６のＲＯＭに予め記憶されている。以下、同図を参照して本実施の形態に係る動画像再生処理について説明する。
【００７５】
まず、ステップ１１０では、動画像選択画面を表示する。
【００７６】
図７（Ａ）には、本実施の形態に係る動画像選択画面のＬＣＤ３８に表示された状態が示されている。同図に示すように、動画像選択画面には、画像ファイルの記録メディア１８に記録された時系列順位が、棒グラフとして表示される。この棒グラフは各画像ファイルと関連付けされた複数の領域（ここでは矩形領域）により構成されると共に、各領域の大きさは、各画像ファイルにより示される動画像の再生時間（分）の長さに応じた大きさとなっており、棒グラフ全体としては記録メディア１８に記録された各画像ファイルにより示される動画像の総再生時間を表わしている。また、棒グラフの同図左端部側の領域が時系列の最も古い画像ファイルと関連付けされると共に、他端部側の領域に向かうに従い関連付けされた画像ファイルの時系列順位が新しくなり、各領域内の模様を画像ファイル毎に異ならせている。さらに、棒グラフには画像ファイルの検索時の目安となるように、時間（分）を示す目盛りが表示されると共に、当該棒グラフに重ねてカーソルマーク５０及びカーソルマーク５０の位置に応じた棒グラフ上の指定位置を示す位置マーク５１（ここでは、点線によるマーク）が表示される。
【００７７】
このような動画像選択画面がＬＣＤ３８に表示されると、ユーザは、棒グラフの所望の動画像を示す画像ファイルと関連付けされた領域をある程度予測して、トラックボール６２の回転操作によってカーソルマーク５０を予測した領域を示す位置まで移動させ、位置マーク５１により指定位置を確認した後、トラックボール６２をデジタルカメラ１０の正面方向に押し込むことにより、指定位置を確定する。
【００７８】
そこで、ステップ１１２では、トラックボール６２の押圧操作待ちを行ない、次のステップ１１４では、確定された指定位置によって示される領域を含む連続した所定数（本実施の形態では「６」。）の領域に関連付けされた画像ファイルにより示される動画像のサムネイル画像を表示する。
【００７９】
図７（Ｂ）には、上述した棒グラフと共に、サムネイル画像がＬＣＤ３８に表示された状態の一例が示されている。同図に示す例では、棒グラフ上の位置や何れかのサムネイル画像を選択可能にカーソルマーク５０を表示すると共に、棒グラフに重ねて指定位置を示す位置マーク５１を表示しており、サムネイル画像を表示した後も棒グラフ上の指定位置が把握できるようにしている。
【００８０】
一方、ユーザは、表示された複数のサムネイル画像を確認し、引き続きトラックボール６２を操作してカーソルマーク５０を移動させ、何れかのサムネイル画像を選択するか、或いは棒グラフに対して指定位置を再度入力する。なお、図７（Ｂ）に示す例では、カーソルマーク５０が何れかのサムネイル画像を指し示す位置にある場合には、選択カーソル５３（ここでは、太枠で示すカーソル）を表示して、カーソルマーク５０が指し示すサムネイル画像を容易に把握できるようにしている。
【００８１】
そこで、ステップ１１６では、トラックボール６２の押圧操作待ちを行ない、次のステップ１１８では、トラックボール６２の操作が再生画像ファイルの選択を示すものであったか否かを判定する。すなわち、ユーザの操作の結果が、棒グラフに対する指定位置を入力するものであった場合は当該判定が否定判定となり、再びステップ１１４に戻る。
【００８２】
一方、ユーザの操作の結果が、何れかのサムネイル画像の選択を示すものであった場合はステップ１２０に移行して、選択されたサムネイル画像に対応する画像ファイルにより示される動画像を再生し、再びステップ１１２に戻る。
【００８３】
なお、図７（Ｃ）には、選択された動画像がＬＣＤ３８に再生された状態が示されている。同図に示す例では、再生画像と共に上述した棒グラフ及び位置マーク５１も表示しているので、棒グラフに対して指定位置を入力することにより次の再生画像を選択することができる。
【００８４】
以上詳細に説明したように、本実施の形態に係るデジタルカメラ１０によれば、検索対象とする複数の画像ファイルの記録メディア１８に記録された時系列順位を、各々対応する画像ファイルと関連付けされた複数の領域により構成されたグラフとしてＬＣＤ３８に表示し、グラフに対する指定位置をトラックボール装置６０により入力させ、指定位置によって示される領域と関連付けされた画像ファイルにより示される被写体像を記録メディア１８に表示しているので、所望の被写体像を示す画像ファイルを効率的でかつ操作性よく検索できる。
【００８５】
また、本実施の形態に係るデジタルカメラ１０によれば、指定位置が含まれる領域を含む連続した所定数（図５及び図７に示す例では「６」）の領域と関連付けされた画像ファイルによって示される所定数のサムネイル画像をＬＣＤ３８に更に表示し、トラックボール６２によりＬＣＤ３８に表示された所定数のサムネイル画像から何れかのサムネイル画像を選択する選択指示を更に入力させるようにしているので、所望の被写体像を示す画像ファイルと関連付けされた領域を正確に指定できなくても、ＬＣＤ３８に表示された所定数のサムネイル画像の中に所望の被写体像が存在すれば、当該サムネイル画像を選択することにより検索することができ、検索効率がさらに向上する。
【００８６】
また、本実施の形態に係るデジタルカメラ１０によれば、棒グラフにおいて、トラックボール装置６０による指定位置が含まれる領域を指し示す位置マーク５１を表示するようにしているので、指定した領域を容易に判別できる。
【００８７】
さらに、本実施の形態に係るデジタルカメラ１０によれば、トラックボール装置６０は、任意の方向への回転操作が可能に設けられたトラックボール６２を有し、トラックボール６２に対する回転操作によってＬＣＤ３８における位置を入力するため、トラックボール６２に対する任意の方向への回転操作によって、ＬＣＤ３８に表示された棒グラフに対する所望の位置を指定位置として迅速に入力することができ、従来の十字カーソルキー５６Ｅの上下左右方向の操作等により指定位置を入力する場合と比較して、飛躍的に操作性が向上する。
【００８８】
また、本実施の形態に係るデジタルカメラ１０によれば、トラックボール装置６０が有するトラックボール６２が、任意の方向への回転操作に加えて所定方向への押圧操作が可能に設けられると共に、トラックボール装置６０に、トラックボール６２に対する押圧操作を検出するマイクロスイッチ６６を更に設けているため、トラックボール６２に対する任意の方向への回転操作によって表示領域における指定位置を変更し、トラックボール６２に対する所定方向への押圧操作により指定位置を決定する、というように、トラックボール６２に対する操作だけで指定位置の入力を行うことができ、所望の被写体像を検索する際の操作性をさらに向上させることができる。
【００８９】
また、本実施の形態に係るデジタルカメラ１０によれば、画像ファイルが動画像を示すものである場合に、棒グラフの領域の大きさを、各々関連付けされた画像ファイルにより示される動画像の再生時間の長さに応じたものとしているので、棒グラフを参照することによって時系列順位と再生時間とが把握できるため、所望の被写体像の検索がさらに効率的に行なえる。
【００９０】
さらに、本実施の形態に係るデジタルカメラ１０によれば、棒グラフの領域内の模様を、各々関連付けされた画像ファイル毎に互いに異ならせているので、各画像ファイルを示す領域の位置や大きさを容易に把握することができる。
【００９１】
また、本実施の形態に係るデジタルカメラ１０によれば、棒グラフの領域内の模様を、各々関連付けされた画像ファイルが記憶された日付け毎に互いに異ならせているので、同日に記憶された画像ファイルは同じ模様で表わされ、記憶された日付けが予め分かっている場合には当該画像ファイルの検索を短時間で行なうことができる。
【００９２】
さらに、本実施の形態に係るデジタルカメラ１０によれば、前記グラフを、一端部側の領域が記録メディア１８に記録された時系列順位の最も古い画像ファイルと関連付けされ、前記一端部に対向する他端部側の領域が記録メディア１８に記録された時系列順位の最も新しい画像ファイルと関連付けされたものとしているので、時系列順位が把握しやすく検索効率がよくなると共に、指定位置の入力も容易になり操作性も向上する。
【００９３】
なお、本実施の形態では、再生画像の選択がトラックボール装置６０によって行なわれるものとして説明したが、本発明はこれに限定されるものではなく、十字カーソルキー５６Ｅによって行なわれるものとしてもよいし、トラックボール装置６０と十字カーソルキー５６Ｅとを併用してもよい。
【００９４】
また、本実施の形態では、棒グラフ上の指定位置を示す位置マーク５１として、点線によるマークを表示する形態について説明したが、本発明はこれに限定されるものではなく、当該位置マーク５１は、実線や太線としてもよいし、矢印の頂点により位置も示すものとしてもよいし、指定位置により示される領域を太枠で囲って示すものや所定の色で塗りつぶすものとしてもよい。
【００９５】
なお、本実施の形態で説明したフローチャート（図４及び図６参照）の処理の流れは一例であり、本発明の主旨を逸脱しない範囲内において適宜変更可能であることは言うまでもない。
【００９６】
また、以上のデジタルカメラ１０の構成（図１乃至図３参照）は一例であり、本発明の主旨を逸脱しない範囲内において適宜変更可能であることは言うまでもない。
【００９７】
例えば、デジタルカメラ１０により、ＪＰＥＧ形式により圧縮された静止画像を連続的に記録するＭｏｔｉｏｎＪＰＥＧ形式で動画像を記録すると共に、動画像のサムネイル画像として当該動画像の先頭のフレームの静止画像を適用し、さらに、ユーザにより当該動画像における任意のフレームの静止画像を選択的に代表画像として設定可能に構成する。
【００９８】
この場合、動画像再生処理のステップ１１０では、代表画像が設定された動画像を示す画像ファイルと関連付けされた棒グラフ上の領域を、さらに代表画像を示すフレームを境界にして複数の領域に区分し、入力された指定位置によって示される領域を含む連続した所定数の領域のサムネイル画像又は代表画像を表示する。
【００９９】
さらに、ステップ１１６において、ユーザの操作の結果が、代表画像の選択を示すものであった場合、ステップ１２０では、当該代表画像が含まれる動画像のうち、代表画像を示すフレーム以降を再生する。
【０１００】
これにより、所望のシーンを含む動画像の再生時間が長い場合にも、動画像を全て再生する必要がなくなり、所望の一部分のシーンだけを検索して再生することが可能となる。
【図面の簡単な説明】
【０１０１】
【図１】実施の形態に係るデジタルカメラの外観を示す外観図である。
【図２】実施の形態に係るトラックボール装置の構成及び作用を示す一部切欠断面図である。
【図３】実施の形態に係るデジタルカメラの電気系の構成を示すブロック図である。
【図４】実施の形態に係る静止画像再生処理プログラムの処理の流れを示すフローチャートである。
【図５】静止画像再生処理の実行時におけるＬＣＤの表示状態の一例を示す模式図である。
【図６】実施の形態に係る動画像再生処理プログラムの処理の流れを示すフローチャートである。
【図７】動画像再生処理の実行時におけるＬＣＤの表示状態の一例を示す模式図である。
【符号の説明】
【０１０２】
１０    デジタルカメラ
１１    ＣＰＵ（制御手段）
１８    記録メディア（記憶手段）
３８    ＬＣＤ（表示手段）
６０    トラックボール装置（入力手段）
６２    トラックボール（回転体）
６６    マイクロスイッチ（押圧検出手段）
【図１】
2005064930.tif 000003
【図２】
2005064930.tif 000004
【図３】
2005064930.tif 000005
【図４】
2005064930.tif 000006
【図５】
2005064930.tif 000007
【図６】
2005064930.tif 000008
【図７】
2005064930.tif 000009